(57)【要約】  本発明は電球用コンセントに設置されたＬＥＤ非常灯に関する。ＬＥＤ非常灯は、ＬＥＤがＰＣＢに取り付けられたが光源部（３０）を含む。ねじ式ソケット接続部（１１）が設けられ、光源部が設置されたハウジング（１０）を含んでいる。電源連結部（２０）は、ねじ式ソケット接続部に接続された、停電時に光源部（３０）に１次電池（４０）から自動的に電源を供給する切替手段（２１）と、光源部への１次電池の通電時間を制限及び調整するためのオン／オフ制御手段（２５）とを含む。１次電池は、電源連結部及び光源部に電気的に連結され、停電時に光源部に電源を印加してＬＥＤを点灯する。【選択図】図１
2010534909.tif 000002
【特許請求の範囲】
【請求項１】
ＬＥＤ（３１）がプリント回路基板（ＰＣＢ）（３３）に実装された光源部（３０）と、
電球用ソケット（receptacle）に結合するねじ式ソケット接続部（１１）が設けられ、前記光源部が設置されるハウジング（１０）と、
前記ねじ式ソケット接続部（１１）と連結され、停電時に光源部（３０）に１次電池の電源を自動印加させる切替手段（２１）と、前記光源部（３０）に対する１次電池（４０）の通電時間を制限及び調整するためのオン／オフ制御手段（２５）とを含む電源連結部（２０）と、
前記電源連結部（２０）と光源部（３０）に電気的に連結され、停電時に、前記切替手段（２１）及びオン／オフ制御手段（２５）を介して光源部（３０）に電源を印加して、ＬＥＤ（３１）を点灯させる１次電池（４０）と、
を含んで構成されることを特徴とする電球用ソケットに設置されるＬＥＤ非常灯。
【請求項２】
前記電源連結部（２０）には、前記１次電池（４０）の電圧が設定値以下に減少した場合にこれを検出して外部に表示する１次電池電圧検出手段（２７）及び外部表示手段（２８）が設けられることを特徴とする請求項１に記載の電球用ソケットに設置されるＬＥＤ非常灯。
【請求項３】
前記切替手段（２１）は、停電時に光源部（３０）に１次電池（４０）の電源を印加させるリレースイッチから構成されることを特徴とする請求項１に記載の電球用ソケットに設置されるＬＥＤ非常灯。
【請求項４】
前記電源連結部（２０）及び光源部（３０）を支持し、ＰＣＢ（３３）に接続して設置されるヒートシンクブラケット（５０）をさらに含むことを特徴とする請求項１に記載の電球用ソケットに設置されるＬＥＤ非常灯。
【請求項５】
前記光源部（３０）に隣接して設置され、ＬＥＤ（３１）の光を誘導拡散させる光誘導拡散手段（６０）をさらに含むことを特徴とする請求項１に記載の電球用ソケットに設置されるＬＥＤ非常灯。
【請求項６】
前記光誘導拡散手段（６０）は、内部に１次電池を収容するためのチャンバー（６３）が形成され、
前記チャンバー（６３）の内面にはＬＥＤの光を反射させると同時に、１次電池（４０）が外部から見えないようにする反射シートまたは反射物が被覆されたり、電池容器（４１）が設置されることを特徴とする請求項５に記載の電球用ソケットに設置されるＬＥＤ非常灯。
【発明の詳細な説明】
【技術分野】
【０００１】
本発明は、ＬＥＤ非常灯に係り、特に、電球用ソケットに結合するハウジングを用いて、設置、停電状態をつくり出す点検作業、１次電池の入れ替え及び管理をきわめて容易に行うことができ、家庭主婦をはじめとして誰でも容易に設置及び管理ができるとともに、停電時に、設定時間にのみ光源部に通電されるようにし、１次電池の効率性を顕著に向上させることができる電球用ソケットに設置されるＬＥＤ非常灯に関する。
【背景技術】
【０００２】
火災や地震などの自然災害により電源供給が遮断される時に安全に待避できるよう、各種建物や地下設備などには非常灯が設置されている。
【０００３】
一般に、非常灯は、総じて長方形のケース内に光源として小型の蛍光灯を設置し、前面には緑色の投光案内板を結合させ、電源回路には、ＡＣ電源が供給される平常時に充電しておき、停電時にＤＣ電源を提供する充電システムを電気的に連結した構成となっている。
【０００４】
このような非常灯は、設置構造が一般の照明器具とは異なる他、電源が中央システムと関連しているから、点検のためには建物内の他の電気施設に影響を与えることなく停電状態をつくり出さなければならない。このため、その設置、取扱管理及び点検は専門技術者にしかできず、労力と時間が多くかかってしまう。
【０００５】
また、蓄電池を使用する場合、高価で重いために取扱及び設置が難しいだけでなく、連結作業が複雑なため、寿命が尽きた場合、非技術者にとってはその入れ替えが不可能である。
【０００６】
一方、最近、地震などの自然災害が頻繁に発生しており、特に、地震帯に位置している地域においては、一般の家庭でも非常灯が必須の安全設備とされてきている。
【０００７】
しかしながら、上記のような非常灯の設置及び取扱は専門技術者にしかできず、その管理を主婦がしている一般の家庭では高コストがかかるとともに、専門技術者の訪問を要請しなければならないという面倒があり、管理に困難があった。
【発明の概要】
【発明が解決しようとする課題】
【０００８】
本発明は上記の問題点を解消するために案出されたもので、その目的は、電球用ソケットに結合するハウジングを用いることで、設置作業や、停電状態をつくり出す点検作業、１次電池の入れ替え及び管理を、きわめて容易に行うことができるため、家庭主婦をはじめとして誰でも容易に設置及び管理ができるとともに、停電の場合に、設定時間にのみ光源部に通電されるようにし、１次電池の効率性を顕著に向上させる電球用ソケットに設置されるＬＥＤ非常灯を提供することにある。
【課題を解決するための手段】
【０００９】
上記目的を達成する本発明に係る電球用ソケットに設置されるＬＥＤ非常灯は、ＬＥＤがプリント回路基板（ＰＣＢ）に実装されてなる光源部と、電球用ソケット（receptacle）に結合するねじ式ソケット接続部が設けられ、前記光源部が設置されるハウジングと、前記ねじ式ソケット接続部と連結され、停電時に光源部に１次電池の電源を自動印加させる切替手段と、前記光源部に対する１次電池の通電時間を制限及び調整するためのオン／オフ制御手段とを含む電源連結部と、前記電源連結部及び光源部に電気的に連結され、停電時に前記切替手段及びオン／オフ制御手段を介して光源部に電源を印加してＬＥＤを点灯させる１次電池と、を含んで構成されることを特徴とする。
【発明の効果】
【００１０】
上記構成を有する本発明に係る電球用ソケットに設置されるＬＥＤ非常灯は、電球用ソケットに結合するハウジングを用いることで、設置作業や、停電状態をつくり出す点検作業、１次電池の入れ替え及び管理を、きわめて容易に行うことができるため、家庭主婦をはじめとして誰でも容易に設置及び管理ができるとともに、設定時間にのみ光源部に通電されるようにし、１次電池の効率性を顕著に向上させるという格別の効果を奏する。
【図面の簡単な説明】
【００１１】
【図１】本発明による一実施例の構成を示す分解断面図である。
【図２】図１の組立図である。
【図３】本発明による一実施例の回路図である。
【発明を実施するための形態】
【００１２】
以下、本発明に係る電球用ソケットに設置されるＬＥＤ非常灯の実施例を、添付の図面を参照しつつ詳細に説明する。
【００１３】
図１は、本発明による一実施例の構成を示す分解断面図であり、図２は、図１の組立図であり、図３は、本発明による一実施例の回路図である。
【００１４】
図１〜図３に示すように、本発明による電球用ソケット２に設置されるＬＥＤ非常灯１は、ＬＥＤ３１がプリント回路基板（ＰＣＢ）３３に実装されてなる光源部３０と、電球用ソケット２に結合するねじ式ソケット接続部１１が設けられ、光源部が設置されるハウジング１０と、ねじ式ソケット接続部１１と連結され、停電時に光源部３０に１次電池の電源を自動印加させる切替手段２１、及び光源部３０への１次電池４０の通電時間を制限及び調整するためのオン／オフ制御手段２５を含む電源連結部２０と、電源連結部２０及び光源部３０に電気的に連結され、停電時に切替手段２１及びオン／オフ制御手段２５により光源部３０に電源を印加してＬＥＤ３１を点灯させる１次電池４０と、を含んで構成される。
【００１５】
ここで、電源連結部２０には、１次電池４０の電圧が設定値以下に減少した場合にこれを検出して外部に表示する１次電池電圧検出手段２７及び外部表示手段２８が設けられることが好ましい。
【００１６】
電圧検出手段２７は電圧検出回路からなり、外部表示手段２８は、電圧が設定値以下に減少した場合に点灯する緑色ＬＥＤからなる。
【００１７】
さらに、オン／オフ制御手段２５は、公知のタイマーからなる。
【００１８】
その上、切替手段２１は、停電時に１次電池４０から光源部３０に電源を印加させるリレースイッチとすることが好ましい。
【００１９】
図３に示すように、本発明による一実施例の電気回路は、光源部への１次電池４０の通電、正確には、オン／オフ制御手段への１次電池の短絡がリレースイッチ２１によって実現されている。電気回路は、ＡＣ電流が直接リレースイッチ２１に連結される場合と、ＡＣ電流が電源連結部に設けられるトランスフォーマーを介してＤＣ電流として供給される場合とがある。ＤＣ電流として供給される場合にも、電気回路の様々な設計が可能である。
【００２０】
また、ＬＥＤ非常灯１には、電源連結部２０及び光源部３０を支持し、ＰＣＢ３３に接続して設置されるヒートシンクブラケット５０がさらに設けられていても良い。
【００２１】
加えて、ＬＥＤ非常灯１は、光源部３０に隣接して設けられ、ＬＥＤ３１の光を誘導拡散させる光誘導拡散手段６０をさらに含むと良い。
【００２２】
光誘導拡散手段６０は、ボディー６１の内部に１次電池を収容するためのチャンバー６３が構成され、チャンバー６３の内面には、ＬＥＤの光を反射させると同時に、１次電池４０が外部から見えないようにするための反射シートまたは反射物が被覆されたり、電池容器４１が設置されたりすることができる。
【００２３】
さらに、光誘導拡散手段６０が取り付けられたシートシンクブラケット５０からの自在な着脱のために、光誘導拡散手段６０及びヒートシンクブラケット５０にはそれぞれに結合部６２，５２が形成されることが好ましい。
【００２４】
着脱部６２，５２はねじ結合式で構成しても良い。
【００２５】
次に、このような構成を有する本発明による電球用ソケットに設置されるＬＥＤ非常灯１の動作状態について説明する。
【００２６】
外部から電気が供給されている平常な状況では、外部電流によって切替手段２１であるリレースイッチのコイルが磁石として働いて鉄板を引き付けている。停電時、すなわち、外部からリレースイッチコイルへの電流の供給が切れると、リレースイッチコイルが磁性を失いながら鉄板を放し、鉄板に取り付けられているスイッチ部がオン状態になる。
【００２７】
このようなリレースイッチのスイッチングによって、停電時には、電源がオン／オフ制御手段２５を介して１次電池４０から光源部３０に印加されて、光源部ＬＥＤ３１が点灯する。
【００２８】
リレースイッチ２１は機械的に接点を開放または閉鎖するから、平常時に１次電池４０の電流が漏れることを防止し、１次電池の有効期間を極大化させる。
【００２９】
しかしながら、停電時にＬＥＤ３１の点灯状態が余分に続く場合に、例えば、明るい昼間に起きる停電事故のように、非常灯が不必要な状況下における停電の発生時に、ＬＥＤが引き続き点灯状態にあり、管理者がそれを認知できないと、１次電池は放電されて寿命が尽きるおそれがある。
【００３０】
オン／オフ制御手段２５は、これを解消するために構成されている。
【００３１】
停電の発生によりリレースイッチがスイッチングされてＬＥＤ３１が点灯すると、オン／オフ制御手段２５、すなわち、タイマーによって設定時間（例：１０分間）にのみ光源部３０に１次電池から電流が流れ、それ以降は遮断される。
【００３２】
設定時間は、地震や火事のような停電発生時に避難場所へ待避できる時間を考慮して調整される。１次電池を９Ｖアルカリ電池とする場合、３．３Ｖ、５５ｍＡのＬＥＤ８個を１２０分間点灯し続けることができる。従って、オン／オフ制御手段２５の設定時間を１０分にセッティングする場合、同一条件の下では、理論的に１２回の停電で使用可能であることが見積れる。
【００３３】
一方、１次電池４０は、自然放電により一定期間が経過すると寿命が尽きるので、停電事故が発生しない場合であっても、有効期間が経過したり停電発生による放電により寿命が尽きたりした場合は、１次電池を入れ替えなければならない。その適正時期を知らせるものが電圧検出手段２７及び外部表示手段２８である。
【００３４】
すなわち、１次電池４０の電圧を検出し、設定電圧以下、例えば、９Ｖアルカリ電池の場合は７Ｖ以下に電圧が落ちると、その回路に連結された外部表示手段２８である赤色ＬＥＤが点滅して、１次電池の入れ替え時期を外部に知らせる。
【００３５】
本発明は、ハウジング１０が電球用ソケットに結合する構成となっているため、家庭でも設置が極めて簡便である。
【００３６】
また、点検のための停電状態の発生は、電球用ソケット２のスイッチ２ａをオフ状態にすることで簡単に実現できる（図１参照）。このスイッチ２ａは、壁面に設置することもできる。
【００３７】
その上、本発明は、１次電池の入れ替え時期を事前に知らせるとともに、１次電池を収容している光誘導拡散手段６０がヒートシンクブラケット５０にねじ結合などで着脱自在に結合されているため、１次電池４０の入れ替え作業も非常に容易である。
【００３８】
このように、本発明は、ハウジング１０を電球用ソケットに設置される構造とし、停電時にリレースイッチを用いて切替操作をして、１次電池から電源を光源部に印加させ、そして、設定時間にのみ通電されるように構成することによって、１次電池の效率的な利用が可能となり、かつ、設置、停電状態をつくり出す点検作業、１次電池の入れ替え及び管理がきわめて容易なため、一般の主婦にとってもＬＥＤ非常灯の設置、取扱及び管理に全く困難がなく、その結果、一般家庭でも容易に非常灯の設置及び管理が可能である。
【００３９】
以上、本発明の好ましい実施例を添付の図面を参照しつつ説明した。ここで、本明細書及び特許請求の範囲に使われる用語や単語は通常的または辞書的な意味に限定して解釈してはいけず、本発明の技術的思想に符合する意味及び概念として解釈しなければならない。したがって、本明細書に記載された実施例と図面に示された構成は、本発明の好ましい一実施例に過ぎず、本発明の技術的思想を全て示すものではないので、本出願時点においてこれらに取って代わる様々な均等物及び変形例がありうるということを理解すべきである。
【産業上の利用可能性】
【００４０】
上記構成を有する本発明による電球用ソケットに設置されるＬＥＤ非常灯は、電球用ソケットに結合するハウジングを用いて、設置、停電状態をつくり出す点検作業、１次電池の入れ替え及び管理をきわめて容易に行うことができ、家庭主婦をはじめとして誰でも容易に設置及び管理ができるとともに、停電時に光源部に設定時間にのみ通電されるようにし、１次電池の効率性が顕著に向上する。
【符号の説明】
【００４１】
１  本発明の電球用ソケットに設置されるＬＥＤ非常灯
１０  ハウジング
２０  電源連結部
２１  切替手段(リレースイッチ)
２５  オン／オフ制御手段
２７  電圧検出手段
２８  外部表示手段
３０  光源部
３１  ＬＥＤ
３３  ＰＣＢ
４０  １次電池
４１  電池容器
５０  ヒートシンクブラケット
６０  光誘導拡散手段
６２  結合部
６３  チャンバー
【図１】
2010534909.tif 000003
【図２】
2010534909.tif 000004
【図３】
2010534909.tif 000005
【国際調査報告】
2010534909.tif 000006
2010534909.tif 000007